【手続補正書】
【提出日】平成27年1月29日(2015.1.29)
【手続補正１】
【補正対象書類名】特許請求の範囲
【補正対象項目名】全文
【補正方法】変更
【補正の内容】
【特許請求の範囲】
【請求項１】
（ａ）潤滑粘度の油と；
（ｂ）アミド基を含むアスファルテン分散剤と；
（ｃ）アルキルフェノールから誘導される清浄剤と
を含む、潤滑組成物であって、
前記アスファルテン分散剤が、
（ｉ）式（Ｉ）によってあらわされる化合物
【化７】
2014505156.tif 000001
を含み、式中、各Ｒ１は、少なくとも１個のＲ１がヒドロカルビル基である限り、独立して、水素であるか、または１〜２５０個の炭素原子を含むヒドロカルビル基であり；
各Ｒ２は、独立して、水素であるか、または１〜１０個の炭素原子を含むヒドロカルビル基であり；
各Ｒ３は、独立して、１〜１０個の炭素原子を含むヒドロカルビレン基であり；
各Ｒ４は、独立して、１〜５０個の炭素原子を含むヒドロカルビル基であり；
ｘは、０〜６の整数であり；
ｙは、１〜４の整数であり；
ｚは、０〜６の整数である、
潤滑組成物。
【請求項２】
前記アスファルテン分散剤が、窒素原子を含有する環状頭部基を実質的に含まない、請求項１に記載の組成物。
【請求項３】
前記アスファルテン分散剤が、
（ｉ）式（ＩＩ）によってあらわされる化合物；
【化８】
2014505156.tif 000002
（ｉｉ）式（ＩＩＩ）によってあらわされる化合物；
【化９】
2014505156.tif 000003
をさらに含み、
ここで、上の式（ＩＩ）および式（ＩＩＩ）について、各Ｒ０は、独立して、水素であるか、または１〜２５０個の炭素原子を含むヒドロカルビル基であり；各Ｒ１は、独立して、１〜１０個の炭素原子を含むヒドロカルビル基であり；各Ｒ２は、独立して、水素、ヒドロキシ基、または１〜５０個の炭素原子を含むヒドロカルビル基であり；Ｙは、炭素原子または窒素原子であり；ｎは、１または２であり；ｍは、０または１である、
請求項１に記載の組成物。
【請求項４】
前記アスファルテン分散剤が、
（ｉ）式（ＩＶ）によってあらわされる化合物；
【化１０】
2014505156.tif 000004
（ｉｉ）式（Ｖ）によってあらわされる化合物；
【化１１】
2014505156.tif 000005
（ｉｉｉ）式（ＶＩ）によってあらわされる化合物；
【化１２】
2014505156.tif 000006
（ｉｖ）式（ＶＩＩ）によってあらわされる化合物；
【化１３】
2014505156.tif 000007
または
（ｖ）これらの組み合わせ
をさらに含み、
ここで、式（ＩＶ）、（Ｖ）、（ＶＩ）および（ＶＩＩ）について、各Ｒ１は、独立して、１〜１０個の炭素原子を含むヒドロカルビル基であり；各Ｒ２は、独立して、水素であるか、または１〜５０個の炭素原子を含むヒドロカルビル基であり；各Ｒ３は、独立して、１〜５０個の炭素原子を含むヒドロカルビル基であり；Ｒ４は、１〜２００個の炭素原子を含むヒドロカルビル基であり；Ｘは、アミンまたは１〜２０個の炭素原子と１〜５個の窒素原子を含むポリアミンから誘導されるヒドロカルビレン基である、
請求項１に記載の組成物。
【請求項５】
Ｒ２が一不飽和であるか；またはＲ４が、ポリイソブチレンから誘導されるか；または、Ｘが、ポリアルキレンポリアミンから誘導されるか；またはこれらの組み合わせである、請求項４に記載の組成物。
【請求項６】
前記アルキルフェノール清浄剤が、組成物全体の１重量％以上存在する、請求項１に記載の組成物。
【請求項７】
前記アルキルフェノール清浄剤が、カルシウムフェネートスルフィドを含む、請求項１に記載の組成物。
【請求項８】
前記組成物の全塩基価が、少なくとも２５であり、前記組成物全体の塩基価の少なくとも５０％が、前記フェネート清浄剤によりもたらされる、請求項１に記載の組成物。
【請求項９】
（ｄ）サリチレート清浄剤をさらに含む請求項１に記載の組成物であって、前記組成物全体のＴＢＮの５０％以下が、前記サリチレート清浄剤からもたらされる、組成物。
【請求項１０】
前記組成物が、船舶用ディーゼル機関潤滑剤または発電所の燃焼機関潤滑剤である、請求項１に記載の組成物。
【請求項１１】
請求項１に記載の潤滑組成物を機関に供給することを含む、内燃機関を潤滑する方法。
【請求項１２】
前記内燃機関が、船舶用ディーゼル機関または発電所の燃焼機関である、請求項１１に記載の方法。
【請求項１３】
前記船舶用ディーゼル機関が、４ストロークトランクピストン機関であるか、または、前記船舶用ディーゼル機関が、２ストローククロスヘッド機関であり、前記潤滑組成物が、システム油である、請求項１２に記載の方法。
【請求項１４】
（ｉ）少なくとも２個の窒素原子を含有する実質的に線状のスクシンイミド分散剤であって、前記窒素原子が２個または３個の炭素原子によって隔てられている実質的に線状のスクシンイミド分散剤と、（ｉｉ）カルボン酸とを反応させ、アミド基を含むアスファルテン分散剤を得る工程を含む、アスファルテン分散剤を調製するプロセスであって、
前記アスファルテン分散剤が、
（ｉ）式（Ｉ）によってあらわされる化合物
【化７】
2014505156.tif 000008
を含み、式中、各Ｒ１は、少なくとも１個のＲ１がヒドロカルビル基である限り、独立して、水素であるか、または１〜２５０個の炭素原子を含むヒドロカルビル基であり；
各Ｒ２は、独立して、水素であるか、または１〜１０個の炭素原子を含むヒドロカルビル基であり；
各Ｒ３は、独立して、１〜１０個の炭素原子を含むヒドロカルビレン基であり；
各Ｒ４は、独立して、１〜５０個の炭素原子を含むヒドロカルビル基であり；
ｘは、０〜６の整数であり；
ｙは、１〜４の整数であり；
ｚは、０〜６の整数である、
プロセス。
【手続補正２】
【補正対象書類名】明細書
【補正対象項目名】０００７
【補正方法】変更
【補正の内容】
【０００７】
さらに、本発明は、機関、特に船舶用ディーゼル機関の操作中にこのような組成物を使用する方法を提供する。
一実施形態において、例えば、以下の項目が提供される。
（項目１）
（ａ）潤滑粘度の油と；
（ｂ）アミド基を含むアスファルテン分散剤と；
（ｃ）アルキルフェノールから誘導される清浄剤と
を含む、潤滑組成物。
（項目２）
前記アスファルテン分散剤が、窒素原子を含有する環状頭部基を実質的に含まない、項目１に記載の組成物。
（項目３）
前記アスファルテン分散剤が、
（ｉ）式（Ｉ）によってあらわされる化合物
【化７】
2014505156.tif 000009
を含み、式中、各Ｒ１は、少なくとも１個のＲ１がヒドロカルビル基である限り、独立して、水素であるか、または１〜２５０個の炭素原子を含むヒドロカルビル基であり；
各Ｒ２は、独立して、水素であるか、または１〜１０個の炭素原子を含むヒドロカルビル基であり；
各Ｒ３は、独立して、１〜１０個の炭素原子を含むヒドロカルビレン基であり；
各Ｒ４は、独立して、１〜５０個の炭素原子を含むヒドロカルビル基であり；
ｘは、０〜６の整数であり；
ｙは、１〜４の整数であり；
ｚは、０〜６の整数である、
項目１〜２のいずれかに記載の組成物。
（項目４）
前記アスファルテン分散剤が、
（ｉ）式（ＩＩ）によってあらわされる化合物；
【化８】
2014505156.tif 000010
（ｉｉ）式（ＩＩＩ）によってあらわされる化合物；
【化９】
2014505156.tif 000011
をさらに含み、
ここで、上の式（ＩＩ）および式（ＩＩＩ）について、各Ｒ０は、独立して、水素であるか、または１〜２５０個の炭素原子を含むヒドロカルビル基であり；各Ｒ１は、独立して、１〜１０個の炭素原子を含むヒドロカルビル基であり；各Ｒ２は、独立して、水素、ヒドロキシ基、または１〜５０個の炭素原子を含むヒドロカルビル基であり；Ｙは、炭素原子または窒素原子であり；ｎは、１または２であり；ｍは、０または１である、
項目３に記載の組成物。
（項目５）
前記アスファルテン分散剤が、
（ｉ）式（ＩＶ）によってあらわされる化合物；
【化１０】
2014505156.tif 000012
（ｉｉ）式（Ｖ）によってあらわされる化合物；
【化１１】
2014505156.tif 000013
（ｉｉｉ）式（ＶＩ）によってあらわされる化合物；
【化１２】
2014505156.tif 000014
（ｉｖ）式（ＶＩＩ）によってあらわされる化合物；
【化１３】
2014505156.tif 000015
または
（ｖ）これらの組み合わせ
をさらに含み、
ここで、式（ＩＶ）、（Ｖ）、（ＶＩ）および（ＶＩＩ）について、各Ｒ１は、独立して、１〜１０個の炭素原子を含むヒドロカルビル基であり；各Ｒ２は、独立して、水素であるか、または１〜５０個の炭素原子を含むヒドロカルビル基であり；各Ｒ３は、独立して、１〜５０個の炭素原子を含むヒドロカルビル基であり；Ｒ４は、１〜２００個の炭素原子を含むヒドロカルビル基であり；Ｘは、アミンまたは１〜２０個の炭素原子と１〜５個の窒素原子を含むポリアミンから誘導されるヒドロカルビレン基である、
項目３〜４のいずれかに記載の組成物。
（項目６）
Ｒ２が一不飽和であるか；またはＲ４が、ポリイソブチレンから誘導されるか；または、Ｘが、ポリアルキレンポリアミンから誘導されるか；またはこれらの組み合わせである、項目４に記載の組成物。
（項目７）
前記アルキルフェノール清浄剤が、組成物全体の１重量％以上存在する、項目１〜６のいずれかに記載の組成物。
（項目８）
前記アルキルフェノール清浄剤が、カルシウムフェネートスルフィドを含む、項目１〜７のいずれかに記載の組成物。
（項目９）
前記組成物の全塩基価が、少なくとも２５であり、前記組成物全体の塩基価の少なくとも５０％が、前記フェネート清浄剤によりもたらされる、項目１〜８のいずれかに記載の組成物。
（項目１０）
（ｄ）サリチレート清浄剤をさらに含む項目１〜９のいずれかに記載の組成物であって、前記組成物全体のＴＢＮの５０％以下が、前記サリチレート清浄剤からもたらされる、組成物。
（項目１１）
前記組成物が、船舶用ディーゼル機関潤滑剤または発電所の燃焼機関潤滑剤である、項目１〜１０のいずれかに記載の組成物。
（項目１２）
項目１に記載の潤滑組成物を機関に供給することを含む、内燃機関を潤滑する方法。
（項目１３）
前記内燃機関が、船舶用ディーゼル機関または発電所の燃焼機関である、項目１２に記載の方法。
（項目１４）
前記船舶用ディーゼル機関が、４ストロークトランクピストン機関であるか、または、前記船舶用ディーゼル機関が、２ストローククロスヘッド機関であり、前記潤滑組成物が、システム油である、項目１３に記載の方法。
（項目１５）
（ｉ）少なくとも２個の窒素原子を含有する実質的に線状のスクシンイミド分散剤であって、前記窒素原子が２個または３個の炭素原子によって隔てられている実質的に線状のスクシンイミド分散剤と、（ｉｉ）カルボン酸とを反応させ、アミド基を含むアスファルテン分散剤を得る工程を含む、アスファルテン分散剤を調製するプロセス。
（項目１６）
前記反応がアスファルテン分散剤を生成してもよい項目１５に記載のプロセスであって、ここで、化合物はそれ自身と反応し、２個の前記窒素原子を含有する環構造を形成し、その結果、得られた分散剤が、アミド基を含むアスファルテン分散剤と環状頭部基を含むアスファルテン分散剤とを含み、前記頭部基が２個の窒素原子を含有する、プロセス。